(57)【要約】【課題】  釣り糸ガイド等の釣り用部材の取り付け固定状態をより強固にでき、視認性を向上させることのできる釣り具を提供する。【解決手段】  釣り糸ガイド４の脚部４Ｂ、４Ｃを竿体１の外周面１Ａに載置し、その載置した脚部４Ｂ、４Ｃを周方向に沿って巻回した取付糸ａによって連結固定する。連結固定部位に取付糸ａと交差する補強糸ｂを竿軸線方向に沿って施してある。【選択図】        図２
2008263841.tif 000002
【特許請求の範囲】
【請求項１】
二つの釣り用部材を、それらの連結部位において取付糸を巻回して連結固定する釣り具であって、前記連結固定部位に、前記取付糸と交差する補強糸からなる補強部材を施してある釣り具。
【請求項２】
前記二つの釣り用部材のうち一方が竿体であり、他方が前記竿体の外周面に取付固定される釣り糸ガイドであり、前記釣り糸ガイドの脚部を前記竿体の外周面に載置し、その載置した脚部を取付糸によって連結固定するとともに、前記連結固定部位に、前記取付糸と交差する補強糸からなる補強部材を施してある請求項１記載の釣り具。
【請求項３】
前記二つの釣り用部材のうち一方が竿体であり、他方が前記竿体の外周面に取付固定される板状リールシートであり、前記板状リールシートの脚部を前記竿体の外周面に載置し、その載置した脚部を取付糸によって連結固定するとともに、前記連結固定部位に、前記取付糸と交差する補強糸からなる補強部材を施してある請求項１記載の釣り具。
【発明の詳細な説明】
【技術分野】
【０００１】
本発明は、釣り糸ガイド等の釣り用部材を、竿体等の釣り用部材に取付糸を巻回することによって取付固定してある釣り具に関する。
【背景技術】
【０００２】
釣り用部材として、釣り糸ガイドを竿体の外周面に取り付けるに、釣り糸ガイドの脚部を竿体の外周面に載置した状態で、竿体と脚部とに亘って取付糸を竿体の周方向に沿った状態で巻回して、釣り糸ガイドを竿体に固定していた（特許文献１参照）。
【０００３】
【特許文献１】特開平１１−１０３７２８号公報（段落番号〔００１３〕〔００１４〕、及び、図１）
【発明の開示】
【発明が解決しようとする課題】
【０００４】
上記構成においては、記載されてはいないが、釣り糸ガイドの脚部を竿体の外周面に取り付けた状態で取付糸の上から樹脂の塗料を接着剤として用いてその塗料を塗布することで取付状態を強固にする方法が採られている。
しかし、上記のように、樹脂塗料を施して固めたものであっても、釣り糸ガイドが釣り糸によって想定以上の荷重を受けて傾倒されそうになる場合や長期に亘る使用に掛かる場合には、釣り糸ガイドの脚部の先端部位において、樹脂塗料層や取付糸に亀裂が発生する虞があった。
【０００５】
本発明の目的は、釣り糸ガイド等の釣り用部材の取り付け固定状態をより強固にでき、視認性を向上させることのできる釣り具を提供する点にある。
【課題を解決するための手段】
【０００６】
〔構成〕
請求項１に係る発明の特徴構成は、二つの釣り用部材を、それらの連結部位において取付糸を巻回して連結固定する釣り具であって、前記連結固定部位に、前記取付糸と交差する補強糸からなる補強部材を施してある点にあり、その作用効果は次の通りである。
【０００７】
〔作用〕
つまり、取付糸だけでなくその取付糸に対して交差する補強糸を施してあるので、竿の周方向に沿った荷重に対応するだけでなくそれに交差する方向での荷重に対しても対抗力を発揮することができる。
しかも、補強糸と取付糸とを二重に施してあるので、その二重の部分で機械的強度を向上させるものであり、亀裂発生を抑えることができる。
【０００８】
〔効果〕
取付糸に重ねる状態で補強糸を施し、しかも、その補強糸を取付糸に交差する状態で施した。これによって、取付強度を強化するとともに、荷重の方向に対する対抗力を高めることができた。
そして、強度面での効果だけでなく、補強糸に装飾を施すことによって、釣り人の目を引き、視認性を高めることができる。
【０００９】
請求項２に係る発明の特徴構成は、前記二つの釣り用部材のうち一方が竿体であり、他方が前記竿体の外周面に取付固定される釣り糸ガイドであり、前記釣り糸ガイドの脚部を前記竿体の外周面に載置し、その載置した脚部を取付糸によって連結固定するとともに、前記連結固定部位に、前記取付糸と交差する補強糸からなる補強部材を施してある点にあり、その作用効果は次の通りである。
【００１０】
〔作用効果〕
つまり、取付糸だけでなくその取付糸に対して交差する補強糸からなる補強部材を施してある。それによって、釣り糸ガイドを竿の軸線方向に傾倒させる荷重だけでなく、竿の周方向にも傾倒させる荷重が重なって作用する場合にも、取付糸と補強糸とが夫々対抗力を発揮することができる。
しかも、補強糸と取付糸とを二重に施してあるので、その二重の部分で機械的強度を向上させるものであり、亀裂発生を抑えることができる。
そして、強度面での効果だけでなく、補強糸に装飾を施すことによって、竿の軸線方向に沿って配置された釣り糸ガイドの脚部部分の装飾効果を高め、釣り人の目を引き、視認性を高めることができる。
【００１１】
請求項３に係る発明の特徴構成は、前記二つの釣り用部材のうち一方が竿体であり、他方が前記竿体の外周面に取付固定される板状リールシートであり、前記板状リールシートの脚部を前記竿体の外周面に載置し、その載置した脚部を取付糸によって連結固定するとともに、前記連結固定部位に、前記取付糸と交差する補強糸からなる補強部材を施してある点にあり、その作用効果は次の通りである。
【００１２】
〔作用効果〕
釣り糸を通してリールに引張移動力や捩り力等が作用するところから、リールを固定しているリールシートにもそれらの力が作用するが、上記したように取付糸とともに補強糸が施してあるので、両者が協働して引張移動力や捩り力に対して固定維持力を発揮する。
そして、強度面での効果だけでなく、リール装着部位での装飾性を高めることができる。
【発明を実施するための最良の形態】
【００１３】
〔第１実施形態〕
穂先竿（図示せず）、二番竿１、三番竿２、元竿３等の各竿体の外周面に釣り糸を案内する釣り糸ガイド４を取付固定するとともに、元竿３にスピングリール６取付用の板状リールシート５を取り付けて釣り竿Ａを構成してある。
【００１４】
釣り糸ガイド４について説明する。図１及び図２に示すように、炭化珪素等のセラミック製リング材４ａを嵌め込み固定した円形のガイド枠４Ａから下方前方に向けて前脚部４Ｂを延出するとともに、ガイド枠４Ａの両側部から後方に向けて後脚部４Ｃを延出して、釣り糸ガイド４は構成してある。
【００１５】
第１実施形態における連結されるべく二つの釣り用部材は、釣り糸ガイド４とその釣り糸ガイド４を取付た竿体である。以下、釣り糸ガイド４の取付構造について説明する。図２及び図３に示すように、竿体としての二番竿１の外周面１Ａの一側面に載置された前脚部４Ｂに対して、取付糸ａを外周面と前脚部４Ｂとに亘って周方向に沿って密着する状態で巻回することによって、釣り糸ガイド４を取付固定してある。
【００１６】
取付糸ａに直交する状態で、補強糸ｂを設けてある。複数本の補強糸ｂが、竿体の軸線方向に沿った状態で引き揃え配置され、前脚部４Ｂの横幅より大きな範囲でかつ前脚部４Ｂの上面と前脚部４Ｂを載置していない外周面とに亘って配置構成されている。これら複数本の補強糸ｂで補強部材７を構成してある。
【００１７】
図２及び図３に示すように、補強部材７は、前脚部４Ｂの上面に載置されている竿尻端部７ｂをその取付部位に巻回されている取付糸ａで被覆するように覆われ、竿尻端部７ｂを取付固定されている。そして、前脚部４Ｂより竿先側に延出された竿先端部７ａも竿体の外周面に載置された状態で取付糸ａで被覆するように覆われ、その竿尻端部７ａを取付固定されている。
補強部材７は、竿先端部７ａと竿尻端部７ｂを取付糸ａで被覆して固定することによって、前脚部４Ｂを保持することができる。
【００１８】
図２及び図３に示すように、補強部材７は、取付糸ａによって固定された両端部７ａ、７ｂの間に位置する中間部７ｃを取付糸ａより表側に位置させてある。
このように、取付糸ａと補強部材７とを重ね合わせることによって、竿体の周方向と軸線方向とに沿った状態で取付糸ａと補強糸ｂとを配置することができ、前脚部４Ｂの取付状態を安定させることができる。
【００１９】
補強糸ｂに対して色彩や模様を施して装飾化することによって、前記補強部材７の取付糸ａより上面に表出する中間部７ｃが装飾効果を発揮する。
そして、この装飾効果を発揮させるためと、取付糸ａ及び補強糸ｂとの保護と、取付糸ａ及び補強糸ｂとの取り付け状態を強化するために、それらの表面にクリアー塗装層８を形成する。クリアー塗装層８においては、透明の樹脂塗料を使用して、模様等を施した補強糸ｂの視認性を向上させる構成とする。
【００２０】
以上のような基本構成となるものに対して、一部変形を施したものに付いて説明する。上記構成においては、取付糸ａと補強部材７との関係は、補強部材７の両端部７ａ、７ｂを取付糸ａで被覆し、補強部材７の中間部７ｃを取付糸ａの表面側に配置する構成を採った。これに対して、ここでは、図４に示すように、取付糸ａと補強部材７の補強糸ｂとが、交互に表面に表出するように、織り込む構成を採る。
このように構成することによって、単に、取付糸ａ単独で引き揃え配置し、それに重ねるように補強糸ｂを引き揃え配置しただけの場合に比べて、両糸ａ、ｂの絡みが強度を発揮し、前脚部４Ｂの先端近傍でのクリアー塗装層８の亀裂発生等を抑制できる。
【００２１】
次ぎに、補強部材７として、図５（イ）に示すように、補強糸ｂを交差させて編み込んだクロスシート７Ａを採用する構成について説明する。図５（ロ）に示すように、取付糸ａとクロスシート７Ａとを組み合わせて構成し、クロスシート７Ａを取付糸ａで被覆して、釣り糸ガイド４の前脚部４Ａ部位でのクリアー塗装層８の亀裂発生等を抑制することができる。
【００２２】
以上、釣り糸ガイド４の前脚部４Ｂに対する取付構造について説明したが、釣り糸ガイド４の後脚部４Ｃに対しても上記した３つの形態のものが適用できる。
つまり、（１）補強糸ｂを単に引き揃えて構成した補強部材７の両端部７ａ、７ｂを取付糸ａで被覆するとともに、補強部材７の中間部７ｃを取付糸ａの表面に表出させる形態、（２）取付糸ａと補強部材７の補強糸ｂとが、交互に表面に表出するように、織り込む形態、（３）クロスシート７Ａを採用する形態、との３つの形態のものを適用する。
【００２３】
〔第２実施形態〕
第２実施形態における連結されるべく二つの釣り用部材は、板状リールシート５とその板状リールシート５を取付た竿体である。板状リールシート５について説明する。図６（イ）に示すように、板状リールシート５は、竿先側にリール脚の前部分を載置する載置部と被覆押さえこむ部分とを一体形成した固定フード５Ａを配置し、竿尻側にリール脚の後部分を載置する載置部５Ｄを形成し、リール脚の後部分を被覆押さえこむ部分が一体形成された可動フード５Ｂを設け、固定フード５Ａと可動フード５Ｂとの間に繋板部５Ｃを形成して構成してある。
【００２４】
その他、板状リールシート５には、図６（イ）に示すように、固定フード５Ａより竿先側に前取付部５ａが延出され、可動フード５Ｂを取り付けた載置部５Ｄの竿尻側に後取付部５ｂが延出されている。
以上のような構成において、図６（ロ）に示すように、二番竿１等の竿体の外周面１Ａに板状リールシート５を載置した状態で、前取付部５ａ、後取付部５ｂ、及び、前取付部５ａと後取付部５ｂとの間に位置する繋板部５Ｃとに対して、第１実施形態と同様に、取付糸ａと取付部材７とを組み合わせて施し、板状リールシート５を取付固定する。
【００２５】
具体的に説明すると、図６（イ）（ロ）に示すように、元竿３の外周面３Ａに載置された板状リールシート５の前取付部５ａに対して、取付糸ａを周方向に沿って互いに隣接する状態で、前取付部５ａと外周面３Ａとに亘って巻回することによって、取付固定する。
取付糸ａを施す対象としては、前取付部５ａだけでなく、後取付部５ｂと繋板部５Ｃも取付糸ａを施す対象となる。
【００２６】
上記のように巻回された取付糸ａに対して取付部材７の装着構成について説明する。ここでは、取付部材７として、補強糸ｂを施す場合のみについて説明する。前記した、（２）取付糸ａと補強部材７の補強糸ｂとが、交互に表面に表出するように、織り込む形態、（３）クロスシート７Ａを採用する形態、については省略する。
【００２７】
図６（ロ）に示すように、板状リールシート５の前取付部５ａに対して、取付糸ａに直交する状態でかつ竿体の軸線方向に沿った状態で、補強糸ｂを前取付部５ａの表面から前取付部５ａの竿先側に位置する外周面３Ａとに亘って施す。補強糸ｂを複数本平行に配置して、取付部材７を構成する。
補強糸ｂ群の竿先側に位置する竿先端部７ａと前取付部５ａの上に位置する竿尻端部７ｂとを取付糸ａによって被覆固定し、竿先端部７ａと竿尻端部７ｂとの間に位置する中間部７ｃを取付糸ａの表面側に位置させて、中間部７ｃを視認できるように構成してある。
【００２８】
このように、取付糸ａに対して交差する方向に補強糸ｂを配置することによって、前取付部５ａの取付構造を強化できる。
取付糸ａ及び補強糸ｂとの取り付け状態を強化するために、それらの表面にクリアー塗装層８を形成する。クリアー塗装層８においては、透明の樹脂塗料を使用して、模様等を施した補強糸ｂの視認性を向上させる構成とする。
【００２９】
上記実施形態においては、板状リールシート５の前取付部５ａに対して補強糸ｂを施す形態について説明したが、後取付部５ｂに対しても同様に、補強糸ｂを施す。ただし、繋板部５Ｃに対しては、必要性が薄いところから、補強部材７を施すことはしていない。
【００３０】
〔第３実施形態〕
第３実施形態における連結されるべき二つの釣り用部材は、穂先竿９を構成する小径竿体９Ａと大径竿体９Ｂとの二つである。その穂先竿９の連結構造に本願発明を適用する形態について説明する。図７に示すように、穂先竿９は、中実棒状の小径竿体９Ａとその竿尻側に位置する中空筒状の大径竿体９Ｂとを連結して構成してある。
【００３１】
小径竿体９Ａと大径竿体９Ｂとの連結構造について説明する。図８（イ）に示すように、小径竿体９Ａを竿尻側程大径化する円錐棒状のものに形成するとともに、竿尻端において、竿尻側程小径化するテーパ部９ａを形成してある。一方、大径竿体９Ｂの竿先端に、内周面が竿先側程大径化するラッパ状繋ぎ部９ｂを形成し、小径竿体９Ａのテーパ部９ａをラッパ状繋ぎ部９ｂに連結するように構成する。
【００３２】
大径竿体９Ｂの外周面は、竿尻側程大径化する通常の竿体部分が形成されている。そのために、大径竿体９Ｂの竿先側端に至る程厚みが薄くなっており、先端において略厚みはゼロとなっている。このような構成によって、小径竿体９Ａと大径竿体９Ｂとの連結部位における急激な断面変化を抑制できる。
ここで、小径竿体９Ａとしては、炭素繊維をエポキシ樹脂で硬化させたテーパ状の中実棒の他金属で作られ、チタン、アルミ、或いは、ステンレス等の金属材が使用されて、当りを感じ取り易い構成としたものも使用される。
【００３３】
図８（イ）（ロ）に示すように、小径竿体９Ａのテーパ部９ａを大径竿体９Ｂのラッパ状繋ぎ部９ｂ内に挿入して連結し、小径竿体９Ａのテーパ部９ａより竿先側の大径部９ｃから大径竿体９Ｂのラッパ状繋ぎ部９ｂに掛けて、取付糸ａを周方向に沿ってかつ隣接するもの同士が密接する状態で巻回する。
【００３４】
上記のように巻回された取付糸ａに対して取付部材７の装着構成について説明する。ここでは、取付部材７として、補強糸ｂを施す場合のみについて説明する。前記した、（２）取付糸ａと補強部材７の補強糸ｂとが、交互に表面に表出するように、織り込む形態、（３）クロスシート７Ａを採用する形態、については省略する。
【００３５】
図８（イ）（ロ）に示すように、小径竿体９Ａと大径竿体９Ｂとの連結部位に対して、取付糸ａに直交する状態でかつ竿体の軸線方向に沿った状態で、補強糸ｂを大径部９ｃの表面からラッパ状繋ぎ部９ｂに掛けて施す。補強糸ｂを複数本平行に配置して、取付部材７を構成する。
補強糸ｂ群の竿先側に位置する一端部７ａとラッパ状繋ぎ部９ｂの上に位置する他端部７ｂとを取付糸ａによって被覆固定し、一端部７ａと他端部７ｂとの間に位置する中間部７ｃを取付糸ａの表面側に位置させて、中間部７ｃを視認できるように構成してある。
補強糸ｂ群は、竿軸線方向に沿った状態で円周全範囲に亘って設けてある。
【００３６】
このように、取付糸ａに対して交差する方向に補強糸ｂを配置することによって、小径竿体９Ａと大径竿体９Ｂとの連結構造を強化できる。
取付糸ａ及び補強糸ｂとの取り付け状態を強化するために、それらの表面にクリアー塗装層８を形成する。クリアー塗装層８においては、透明の樹脂塗料を使用して、模様等を施した補強糸ｂの視認性を向上させる構成とする。
【００３７】
最終的な形態としては、クリアー塗装層８に対して研磨加工を施し、補強糸ｂが略露出する状態まで加工を施して、クリアー塗装層８の外径をできるだけ大径にならない状態に抑える。
【００３８】
上記構成においては、小径竿体９Ａの竿尻端と大径竿体９Ｂの竿先端とにテーパ部９ａとラッパ状繋ぎ部９ｂとを設けて連結するように構成したが、これらを特に設ける必要はない。この構成に代えて、図示してはいないが、小径竿体９Ａの竿尻端の外周面を竿尻端側程緩やかに拡径する傾斜面に形成し、大径竿体９Ｂの竿先端の内周面を竿先側程緩やかに縮径する傾斜面に形成し、縮径する傾斜面を拡径する傾斜面に被嵌させる構成によって、小径竿体９Ａと大径竿体９Ｂとを連結する構成を採っても良い。
【００３９】
このような構成に変更する場合にも、小径竿体９Ａと大径竿体９Ｂとを連結した後に、上記したように、取付糸ａ等を施す点は同様である。つまり、（１）補強糸ｂを単に引き揃えて構成した補強部材７の両端部７ａ、７ｂを取付糸ａで被覆するとともに、補強部材７の中間部７ｃを取付糸ａの表面に表出させる形態、（２）取付糸ａと補強部材７の補強糸ｂとが、交互に表面に表出するように、織り込む形態、（３）クロスシート７Ａを採用する形態、との３つの形態のものを適用する
【００４０】
〔別実施形態〕
（１）取付糸ａの巻回方向としては、竿体の周方向に沿った状態で巻回したが、周方向に対してもかつ軸線方向に対しても傾斜した方向に螺旋状に巻回してもよい。これに対して補強糸ｂは、取付糸ａに対して交差する状態で螺旋状に配置すればよい。
また、周方向に巻回した取付糸ａに対して、補強糸ｂを４５°以上に傾斜させて巻回したものであってもよい。
（２）第１実施形態から第３実施形態で示した以外の釣り用部材としては、中通し竿において、リールから繰り出されてくる釣り糸を竿体内の糸挿通空間に誘導する釣り糸ガイドが考えられる。
つまり、釣り糸を竿体内の糸挿通空間に誘導する挿通孔を形成したガイド枠の竿先側と竿尻側とに延出した前取付部と後取付部とを竿体の所定位置に載置し、前後取付部に対して、第１実施形態から第３実施形態で示したように、取付糸ａを巻回するとともに、取付部材７を施して、釣り糸ガイドの取付け構造を強化する。
【図面の簡単な説明】
【００４１】
【図１】釣り竿を示す側面図
【図２】（イ）釣り糸ガイドを竿体（二番竿）に取り付けた状態を示す縦断側面図、（ロ）釣り糸ガイドを竿体（二番竿）に取り付けた状態を示す平面図
【図３】釣り糸ガイドを竿体（二番竿）に取り付けた状態を示す斜視図
【図４】取付糸と補強糸とを織り込んで、その織り込み糸群で釣り糸ガイドを竿体（二番竿）に取り付けた状態を示す縦断側面図
【図５】（イ）補強糸をクロスシート状に編み込んだ状態を示す斜視図、（ロ）取付糸とクロスシートとで釣り糸ガイドを竿体（二番竿）に取り付ける状態を示す斜視図
【図６】（イ）リールシートを竿体（元竿）に取り付ける状態を示す斜視図、（ロ）リールシートを竿体（元竿）に取り付けた状態を示す斜視図
【図７】穂先竿を示す全体側面図
【図８】（イ）小径竿体と大径竿体との連結部位を示す縦断側面図、（ロ）小径竿体と大径竿体との連結部位を示す平面図
【符号の説明】
【００４２】
１            二番竿（一方の釣り用部材）
２            三番竿（一方の釣り用部材）
３            元竿（一方の釣り用部材）
４            釣り糸ガイド（他方の釣り用部材）
５            板状リールシート（他方の釣り用部材）
７            補強部材
９            穂先竿（釣り用部材）
９Ａ          小径竿体（一方の釣り用部材）
９Ｂ          大径竿体（他方の釣り用部材）
ａ            取付糸
ｂ            補強糸
【図１】
2008263841.tif 000003
【図２】
2008263841.tif 000004
【図３】
2008263841.tif 000005
【図４】
2008263841.tif 000006
【図５】
2008263841.tif 000007
【図６】
2008263841.tif 000008
【図７】
2008263841.tif 000009
【図８】
2008263841.tif 000010